(57)【要約】【課題】戸板が金属材で形成されている場合にも簡単に振止機構を取付けできるようにする。戸板を吊込んでから振止機構を後付けで取付けできるようにする。【解決手段】戸板１の上部が吊持ちされスライドして開閉される。戸板１の下部の端面に取付けられ下面２１と戸板１の前後方向の側面２２とが開放されたコ字形の枠部材２と、枠部材２の開放された側面２２に嵌合取付けされる端部材３とを備えている。端部材３は、戸板１の開閉の際の振れを防止する振止機構６と枠部材２への嵌合取付け状態を加圧によりロックするロック機構７とが設けられている。【選択図】      図１
2007023637.tif 000002
【特許請求の範囲】
【請求項１】
戸板の上部が吊持ちされスライドして開閉される上吊式の引戸装置において、戸板の下部の端面に取付けられ下面と戸板の前後方向の側面とが開放されたコ字形の枠部材と、枠部材の開放された側面に嵌合取付けされる端部材とを備え、端部材は戸板の開閉の際の振れを防止する振止機構と枠部材への嵌合取付け状態を加圧によりロックするロック機構とが設けられていることを特徴とする引戸装置。
【請求項２】
請求項１の引戸装置において、ロック機構は端部材の外側から回転操作される操作ネジと操作ネジの回転に応動して操作ネジの軸方向へスライドするスライダとスライダのスライドに応動して枠部材の開放されていない側面に圧接されるロック片とを備えていることを特徴とする引戸装置。
【請求項３】
請求項１または２の引戸装置において、枠部材と端部材との間には嵌合方向へ延びた係合溝，係合突条からなる係合構造が設けられていることを特徴とする引戸装置。
【請求項４】
請求項３の引戸装置において、係合構造の係合突条は枠部材の開放されていない側面に設けられ圧接されるロック機構のロック片が係合する切欠部が形成されていることを特徴とする引戸装置。
【請求項５】
請求項２〜４のいずれかの引戸装置において、ロック機構は端部材に対して操作ネジの軸方向への移動を阻止する止部材を備えていることを特徴とする引戸装置。
【発明の詳細な説明】
【技術分野】
【０００１】
本発明は、戸板の上部が吊持ちされスライドして開閉される上吊式の引戸装置に係る技術分野に属する。
【背景技術】
【０００２】
最近、上吊式の引戸装置では、床面等をバリアフリー化にする等のために、戸板の下部付近からレール等の大掛かりな開閉案内機構が排除され、戸板の開閉の際の振れ（戸板の厚さ方向への移動）を防止する振止機構が戸板の下部に組込まれる傾向がある。なお、この振止機構については、戸板が複数枚からなる場合に、各戸板の開閉を連動させる連動機構をも兼ねるように構成される。
【０００３】
従来、振止機構を戸板の下部に組込んだ引戸装置としては、例えば、以下に記載のものが知られている。
【特許文献１】特開平１０−３７５７８号公報  特許文献１には、戸板の下部の端面に前後方向（戸板の開閉方向）へ堀込まれた案内溝と、戸板の下部の側面にネジ止めされて隣接する戸板の案内溝に先端部が突入される案内片とからなる振止機構を備えた引戸装置が記載されている。
【０００４】
特許文献１に係る引戸装置では、案内溝，案内片の係合によって隣接する戸板の間隔が保持されて戸板の開閉の際の振れが防止され、案内溝の端部と案内片との当接によって隣接する戸板の開閉動作が伝達されて各戸板の開閉が連動される。
【発明の開示】
【発明が解決しようとする課題】
【０００５】
特許文献１に係る引戸装置では、戸板に振止機構の案内片がネジ止めされるため、戸板（少なくとも下部）がアルミニウム等の金属材で形成されている場合に、振止機構を取付けるのが困難になるという問題点がある。また、戸板の下部の側面に振止機構の案内片が取付けられるため、戸板を吊込んでから振止機構を後付けする場合に、吊込まれて隣接した戸板が振止機構の取付けの邪魔になってしまうという問題点がある。
【０００６】
本発明は、このような問題点を考慮してなされたもので、戸板が金属材で形成されている場合にも簡単に振止機構を取付けることができ、戸板を吊込んでから振止機構を後付けで取付けることのできる引戸装置を提供することを課題とする。
【課題を解決するための手段】
【０００７】
前述の課題を解決するため、本発明に係る引戸装置は、特許請求の範囲の各請求項に記載の手段を採用する。
【０００８】
即ち、請求項１では、戸板の上部が吊持ちされスライドして開閉される上吊式の引戸装置において、戸板の下部の端面に取付けられ下面と戸板の前後方向の側面とが開放されたコ字形の枠部材と、枠部材の開放された側面に嵌合取付けされる端部材とを備え、端部材は戸板の開閉の際の振れを防止する振止機構と枠部材への嵌合取付け状態を加圧によりロックするロック機構とが設けられていることを特徴とする。
【０００９】
この手段では、枠部材に嵌合取付けされた端部材をロック機構で加圧によりロックさせることで、ネジ止めによる取付けを排している。また、端部材に設けられた振止機構を枠部材の開放された側面から取付けることで、吊込まれて隣接した戸板が振止機構の取付けの邪魔にならなくする。
【００１０】
また、請求項２では、請求項１の引戸装置において、ロック機構は端部材の外側から回転操作される操作ネジと操作ネジの回転に応動して操作ネジの軸方向へスライドするスライダとスライダのスライドに応動して枠部材の開放されていない側面に圧接されるロック片とを備えていることを特徴とする。
【００１１】
この手段では、端部材の外側からの回転操作でロック機構がロックされる。
【００１２】
また、請求項３では、請求項１または２の引戸装置において、枠部材と端部材との間には嵌合方向へ延びた係合溝，係合突条からなる係合構造が設けられていることを特徴とする。
【００１３】
この手段では、係合構造によって枠部材からの端部材の脱落が阻止される。
【００１４】
また、請求項４では、請求項３の引戸装置において、係合構造の係合突条は枠部材の開放されていない側面に設けられ圧接されるロック機構のロック片が係合する切欠部が形成されていることを特徴とする。
【００１５】
この手段では、ロック機構が加圧に加えて係合によってもロックされる。
【００１６】
また、請求項５では、請求項２〜４のいずれかの引戸装置において、ロック機構は端部材に対して操作ネジの軸方向への移動を阻止する止部材を備えていることを特徴とする。
【００１７】
この手段では、ロック機構の操作ネジと端部材とが連結一体化される。
【発明の効果】
【００１８】
本発明に係る引戸装置は、枠部材に嵌合取付けされた端部材をロック機構で加圧によりロックさせることで、ネジ止めによる取付けを排しているため、戸板が金属材で形成されている場合にも簡単に振止機構を取付けることができる効果がある。また、端部材に設けられた振止機構を枠部材の開放された側面から取付けることで、吊込まれて隣接した戸板が振止機構の取付けの邪魔にならなくなるため、戸板を吊込んでから振止機構を後付けで取付けることができる効果がある。
【発明を実施するための最良の形態】
【００１９】
以下、本発明に係る引戸装置を実施するための最良の形態を図面に基づいて説明する。
【００２０】
図１〜図９は、本発明に係る引戸装置を実施するための最良の形態の第１例を示すものである。
【００２１】
第１例では、図９に示すように、戸板１が複数枚からなるものを示してある。
【００２２】
第１例は、図１に示すように、戸板１に取付けられる枠部材２と、枠部材２に取付けられる２種類の端部材３，４とを備えている。
【００２３】
枠部材２は、下面２１と戸板１の前後方向の側面２２とが開放され、上面２３と戸板１の厚さ方向の側面２４とによりアルミニウム等の金属材でコ字形に形成されている。この枠部材２は、上面２３が戸板１の下部の端面のほぼ全長に当接されて適当な手段によって取付け固定されている。上面２３には、図２，図６，図７に示すように、コ字形に囲まれている内部を戸板１の厚さ方向で２分割するような隔壁２５が突出して形成されている。この隔壁２５は、開放された側面２２付近で切除されて、端部材３，４の取付けスペースが確保されている。
【００２４】
枠部材２には、端部材３，４との間で係合する係合構造５を構成する係合突条５１が形成されている。係合突条５１は、枠部材２の側面２４の上部寄りに戸板１の前後方向へ延びるように突出して形成されている。係合突条５１には、枠部材２の開放された側面２２付近に一部が傾斜面で切除された切欠部５２が設けられている。
【００２５】
端部材３，４は、共通して、枠部材２の開放された側面２２を閉塞する端板３１，４２と、端板３１，４１から突出して枠部材２の開放された側面２２から枠部材２の上半部に嵌合される中空構造のブロック部３２，４２とが合成樹脂成形等で一体的に形成されている。端板３１，４１は、中心にネジ孔３１ａ，４１ａが穿孔され、側面のブロック部３２，４２寄りにマイナスドライバ等の工具を差込むことのできる差込用溝３１ｂ，４１ｂが設けられている。ブロック部３２，４２は、内部に後述のロック機構７を収容するための収容空隙３２ａ，４２ａが確保され、収容空隙３２ａ，４２ａに連通して側面に窓３２ｂ，４２ｂが開口され、収容空隙３２ａ，４２ａから窓３２ｂ，４２ｂにかけての上下の内側面に細溝形の規制溝３２ｃ，４２ｃが刻設されている。１つの種類の端部材３は、図３に示すように、ブロック部３２の下部に枠部材２の隔壁２５の延長となるような仕切板３３が端板３１，ブロック部３２と一体的に形成されている。他の１つの種類の端部材４は、図４に示すように、ブロック部４２の下部に枠部材２の隔壁２５の延長となるとともにブロック部４２の片側へ箱形に張出した取付座４３が端板３１，ブロック部３２と一体的に形成されている。
【００２６】
両端部材３，４には、前述の係合構造５を構成する係合溝５３が形成されている。係合溝５３は、端部材３，４のブロック部３２，４２の側面に前述の係合突条５１に係合可能に刻設され窓３２ｂ，４２ｂに連通している。
【００２７】
両端部材３，４には、図３〜図６に詳細に示されるように、振止機構６が設けられている。振止機構６は、両端部材３，４の端板３１，４１と一体的に形成された受部６１と、他の１つの種類の端部材４と別体に形成されて取付座４３にネジ止めされた走行部６２とからなる。受部６１は、図３，図４に示すように、２股の弾性片の先端部に間隔を拡開させたストッパ６１ａが設けられ基端部に間隔を絞込んだキャッチ６１ｂが形成されている。走行部６２は、図５，図６に示すように、枠部材２の隔壁２５を介した片側の空間の内部で滑走が可能な円柱形の走行体６２ａと、他の１つの種類の端部材４の取付座４３にネジ止めされて走行体６２ａを隣接する枠部材２の内部に着脱可能に支持する支持片６２ｂと、走行体６２ａに設けられた凹凸構造の取付溝６２ｃと、支持片６２ｂに設けられ走行体６２ａの取付溝６２ｃと係合する凹凸構造の取付溝６２ｄとからなる。なお、１つの種類の端部材３には、振止機構６の受部６１のみが２基並列されている。また、他の１つの種類の端部材４には、振止機構６の受部６１，走行部６２が１基ずつ並列されている。
【００２８】
両端部材３，４には、図２に詳細に示されるように、ロック機構７が設けられている。ロック機構７は、端部材３，４の端板３１，４１のネジ孔３１ａ，４１ａに挿通され外側から回転操作される操作ネジ７１と、操作ネジ７１に螺合したナット７２と、ナット７２が係止され操作ネジ７１が回転に応動したナット７２の操作ネジ７１の軸方向への移動で端部材３，４のブロック体３２，４２の収容空隙３２ａ，４２ａの内部でスライドするテーパ形のスライダ７３と、スライダ７３の両側でスライダ７３のテーパに当接しスライダ７３のスライドに応動して端部材３，４のブロック体３２，４２の窓３２ｂ，４２ｂに突出するロック片７４とからなる。ロック片７４には、上下面に端部材３，４のブロック体３２，４２の規制溝３２ｃ，４２ｃに係合する規制突起７４ａが設けられ、側面に係合構造５の切欠部５２の傾斜面に対応したテーパ７４ｂが設けられている。
【００２９】
第１例によると、図１（Ａ）に示すように、端部材３，４を枠部材２の開放されている側面２２に嵌合取付けして、図１（Ｂ）に示すように、ロック機構７の操作ネジ７１を回転操作してロック機構７をロックさせることで、振止機構６が設けられている端部材３，４を戸板１に取付けることができる。
【００３０】
即ち、枠部材２に嵌合取付けされた端部材３，４をロック機構７で加圧によりロックさせ、特許文献１に係る引戸装置のようなネジ止めによる取付けを排している。この結果、戸板１（直接の取付け対象である枠部材２）が金属材で形成されている場合にも、簡単に振止機構６を取付けることができる。なお、ロック機構７の操作が外部からの回転でなされるため、容易に実施することができる。
【００３１】
また、端部材３，４に設けられた振止機構６を枠部材２の開放された側面２２から取付けるため、吊込まれて隣接した戸板１が振止機構６の取付けの邪魔にならなくなる。この結果、戸板１を吊込んでから振止機構６を後付けで取付けることができる。
【００３２】
なお、端部材３，４を枠部材２に嵌合取付けるときは、係合構造５（係合突条５１，係合溝５３）が係合することになる。この結果、端部材３，４の枠部材２からの脱落が確実に防止される（ロック機構７の操作前にあっても）。
【００３３】
また、ロック機構７の操作ネジ７１の回転操作は、図２（Ｂ），（Ｃ）に示すように、スライダ７３をスライドさせて、ロック片７４を端部材３，４のブロック部３２，４２の窓３２ｂ，４２ｂに突出させ、ロック片７４を枠部材２の側面２４に圧接させることになる。
【００３４】
このとき、ロック機構７のロック片７４の移動は、規制突起７４ａと端部材３，４のブロック部３２，４２の規制溝３２ｃ，４２ｃとの係合により方向規制がなされる。この結果、ロック機構７のロック片７４は、がた付くことなく円滑，確実に移動する。また、枠部材２の側面２４に圧接したロック機構７のロック片７４は、テーパ７４ｂで係合機構５の切欠部５２の傾斜面に係合することになる。従って、ロック機構７は、端部材３，４を枠部材２に確実，強固にロックすることができる。
【００３５】
第１例では、２種類の端部材３，４の取付けに際して、図７に示すように、他の１つの種類の端部材４の取付けを先行させ１つの種類の端部材３の取付けを後行させる施工手順が採られる。即ち、他の１つの種類の端部材４に取付けられている振止機構６の走行部６２を隣接する戸板１に取付けられている枠部材２に侵入させるようにして、他の１つの種類の端部材４を枠部材２に嵌合取付けしてロック機構７でロックする。この後、他の１つの種類の端部材４が取付けられている枠部材２（戸板１）を隣接する振止機構６の走行部６２が侵入している枠部材２（戸板１）の前方向（戸板１の開放方向）へ少なくとも１つの種類の端部材３の取付けスペースの幅ａを移動させてから（吊込みの後であるで簡単に移動が可能）、隣接する枠部材２（戸板１）に１つの種類の端部材３を取付けると、取付け施工を支障なく実施することができる。
【００３６】
また、第１例の振止機構６は、図８に示すように、受部６１のストッパ６１ａが走行部６２の走行体６２ａの滑走限界を緩衝規制し、受部６１のキャッチ６１ｂが走行部６２の支持片６２ｂを挟持するようになっている。従って、図９（Ａ）に示すように、戸板１が戸袋８に整列された状態では、振止機構６の受部６１のキャッチ６１ｂが走行部６２の支持片６２ｂを挟持して、戸板１が不測に開放されないようになっている。また、図９（Ｂ）〜（Ｄ）に示すように、戸板１が開放される状態では、振止機構６の走行部６２の走行体６２ａが受部６１のストッパ６１ａを押して各戸板１の開放を連動させることになる（戸板１が閉鎖される状態も同様）。なお、図９に示す戸板１の配置構成では、戸袋８側の戸板１の枠部材２に床面等に固定された補助振止具９（振止機構６の走行部６２の走行体６２ａのようなもの）を連係させると、戸板１の開閉の際の振れを確実に防止することができる。
【００３７】
さらに、第１例では、ロック機構７の操作ネジ７１を回転操作してロック機構７のロックを解除し、端部材３，４を枠部材２から引抜くことで、戸板１から振止機構６が設けられた端部材３，４を取外すことができる。このとき、端部材３，４の端板３１，４１の差込用溝３１ｂ，４１ｂにマイナスドライバ等の工具を差込んでこじるようにすると、端部材３，４を枠部材２から簡単に引抜くことができるようになる。
【００３８】
なお、取外された端部材３，４に設けられている振止機構６については、走行部６２の走行体６２ａ，支持片６２ｂが凹凸構造の取付溝６２ｃ，６２ｄで着脱可能になっているため、摩耗，損傷した走行体６２ａを簡単に交換することができる。
【００３９】
図１０〜図１３は、本発明に係る引戸装置を実施するための最良の形態の第２例を示すものである。
【００４０】
第２例は、１つの種類の端部材３の枠部材２への嵌合端部に係合構造５の係合突条５１への係合溝５３の係合を案内する２股テーパ形の嵌合ガイド３４が設けられている。また、ロック機構７に端部材３に対して操作ネジ７１の軸方向への移動を阻止するＣリングからなる止部材７５が設けられている。ロック機構７の止部材７５は、操作ネジ７１，端部材３の双方に環状に形成された溝に係合されている。なお、端部材３の嵌合ガイド３４とロック機構７の止部材７５については、図示していないが他の１つの種類の端部材４でも同様に構成される。
【００４１】
第２例によると、端部材３の嵌合ガイド３４の案内によって、端部材３の枠部材２への嵌合取付けが容易，円滑になる。また、枠部材２から端部材３を取外す際に、図１３に示すように、ロック機構７の操作ネジ７１を逆回転させることで、枠部材２の隔壁２５にロック機構７のスライダ７３を突張らせて、端部材３を枠部材２から抜出させることができて、枠部材２からの端部材３の取外しが容易になる。また、端部材３，ロック機構７が連結一体化されるため、取付け現場での部品の脱落紛失を防止することができる。
【００４２】
図１４は、本発明に係る引戸装置を実施するための最良の形態の第３例を示すものである。
【００４３】
第３例は、第２例のロック機構７の止部材７５をナットに変更している。なお、ロック機構７の止部材７５の収容スペースを確保するために、ロック機構７のスライダ７３のスライド方向の長さを多少短くしている。
【００４４】
第３例によると、ロック機構７の止部材７５のためにロック機構７の操作ネジ７１や端部材３に溝等の加工を施す必要がなくなる。
【００４５】
以上、図示した各例の外に、枠部材２を戸板１と一体的に形成することも可能である。
【００４６】
さらに、振止機構６の受部６１を端部材３，４と別個に形成して端部材３，４に取付けるようにすることも可能である。
【図面の簡単な説明】
【００４７】
【図１】本発明に係る引戸装置を実施するための最良の形態の第１例の斜視図であり、（Ａ），（Ｂ）の順に取付け工程が示されている。
【図２】図１の横断面図であり、（Ａ）が図１（Ａ）に対応し、（Ｂ），（Ｃ）が図１（Ｂ）に対応している。
【図３】図１の要部の斜視図である。
【図４】図３の変形例の斜視図である。
【図５】図４の周囲部品が取付けられた図である。
【図６】図５の取付け施工例を示す図である。
【図７】図６に続く取付けの施工手順の横断面図である。
【図８】図６，図７の施工後の要部の横断面図である。
【図９】本発明に係る引戸装置を実施するための最良の形態の第１例の適用例を示す平面簡略図である。
【図１０】本発明に係る引戸装置を実施するための最良の形態の第２例の要部の斜視図である。
【図１１】図１０の横断面図である。
【図１２】図１１の要部の拡大縦断面図である。
【図１３】図１１の取外操作状態図である。
【図１４】発明に係る引戸装置を実施するための最良の形態の第３例の要部の断面図である。
【符号の説明】
【００４８】
１                戸板
２                枠部材
３，４            端部材
３１，４１        端板
３２，４２        ブロック体
５                係合構造
５１              係合突条
５２              切欠部
５３              係合溝
６                振止機構
７                ロック機構
７１              操作ネジ
７３              スライダ
７４              ロック片
７５              止部材
【図１】
2007023637.tif 000003
【図２】
2007023637.tif 000004
【図３】
2007023637.tif 000005
【図４】
2007023637.tif 000006
【図５】
2007023637.tif 000007
【図６】
2007023637.tif 000008
【図７】
2007023637.tif 000009
【図８】
2007023637.tif 000010
【図９】
2007023637.tif 000011
【図１０】
2007023637.tif 000012
【図１１】
2007023637.tif 000013
【図１２】
2007023637.tif 000014
【図１３】
2007023637.tif 000015
【図１４】
2007023637.tif 000016